(57)【特許請求の範囲】
【請求項１】
通過ガス量に対応した流量を測定し流量信号を出力する流量測定手段と、前記流量測定手段からの流量信号の所定の変化量に応じて個別器具を推定し個別器具のオン・オフ信号を出力する個別器具推定手段と、前記個別器具推定手段からの個別器具のオン・オフ信号から個別器具の使用時間を監視して所定時間継続した場合時間異常信号を出力する時間遮断監視手段Ａと、前記流量測定手段からの流量信号が所定の流量範囲内にあるとき前記個別器具推定手段からの個別器具のオン・オフ信号が一定期間内に何回オン・オフするかを測定し所定以上ある場合は使用パターン異常信号を出力する使用パターン監視手段と、前記時間遮断監視手段Ａからの時間異常信号と前記使用パターン監視手段からの使用パターン異常信号を受けてガス通路を遮断する遮断手段を備えたガス遮断装置。
【請求項２】
使用パターン監視手段からの使用パターン異常信号を受けて外部へ報知する報知手段と、個別器具推定手段の個別器具を推定する流量信号の所定の変化量を外部より変更する個別器具推定量変更手段とを備え、前記個別器具推定手段は流量測定手段からの流量信号の変化量を外部より変更された変化量により個別器具を推定する請求項１記載のガス遮断装置。
【請求項３】
使用パターン監視手段からの使用異常パターン信号がある場合は個別器具推定手段からのそれぞれの個別器具のオン時間を合計し所定時間以上になる場合は時間異常信号を出力する時間遮断監視手段Ｂとを備え、遮断手段は時間遮断監視手段Ａと前記時間遮断監視手段Ｂから時間異常信号をうけてガス通路を遮断する請求項１記載のガス遮断装置。
【発明の詳細な説明】
【０００１】
【発明の属する技術分野】
本発明は、ガスの事故を未然に防ぐガス遮断装置に関するものである。
【０００２】
【従来の技術】
従来、この種のガス遮断装置は、図７において、１はガスメータ、２は通過ガス流量に対応した流量を測定し流量信号を出力する流量測定手段としての流量センサ、３は流量測定手段２から出力される流量信号の変化量（ΔＱ）を監視して所定以上の変化量があった場合に個別器具のＯＮ／ＯＦＦ信号を出力する個別器具推定手段、４は個別器具推定手段３からの個別器具のＯＮ／ＯＦＦ信号から個別器具のＯＮ時間を監視して所定時間（ＴＭＡＸ）継続した場合に時間遮断信号を出力する時間遮断監視手段Ａ、５は時間遮断監視手段Ａ４からの時間遮断信号を受けてガス通路を遮断する遮断手段として遮断弁である。
【０００３】
今、図８に示すようなパターンでガスを使用しているとする。それぞれの変化量は、個別器具推定手段３が個別器具のＯＮ／ＯＦＦ信号を出力するΔＱ以上の変化量とする。またＴ１、Ｔ２、Ｔ３、Ｔ４、Ｔ５、Ｔ６は時間遮断監視手段Ａ４が時間遮断信号を出力しない時間内でかつ、Ｔ１、Ｔ２、Ｔ３、Ｔ４、Ｔ５、Ｔ６＜ＴＭＡＸであるとする。一般的には、風呂釜等の大きな器具を使い始めてからａ−ａ‘間、ｂ−ｂ‘間、ｃ−ｃ‘間でガスコンロ等の小さな器具を使った場合に発生するガス消費パターンである。
【０００４】
この場合、時間遮断監視手段Ａ４は、時間遮断信号を出力しないので遮断手段５もガス通路を遮断しない。このとき例えばＴ５が、長い時間続いた場合すなわち、風呂釜などをＴＭＡＸ以上の長い時間使用した場合には、時間遮断監視手段Ａ４は遮断信号を出力して遮断手段５でガス通路を遮断して器具の異常使用およびガス漏れを防ぐことができる。
【０００５】
【発明が解決しようとする課題】
しかし、このようなガス遮断装置では、上記のガス消費パターンと同じようなパターンになるガス漏れや複雑な制御をするガス器具の長時間異常使用に対応できない場合があった。つまり、このようなガス消費パターンは、長いゴムホースの先にガス器具を取り付けてありゴムホースがはずれた場合にも発生する。すなわち、ゴムホースなので配管形態が変わりやすくガス流量に変化が起こりやすくなる。この変化量が個別器具推定手段３のΔＱ以上の場合は、上記のように正常なガス器具のガス消費パターンと同様時間遮断監視手段Ａ４は、時間遮断信号を出力しないので遮断手段５もガス通路を遮断しなくなる。このような状態で長時間ゴムホースから漏れた場合危険である。
【０００６】
また、本来個別器具推定手段３からのＯＮ信号が長い時間続いた場合すなわち、風呂釜などをＴＭＡＸ以上の長い時間使用した場合には、時間遮断監視手段Ａ４は遮断信号を出力して遮断信号５でガス通路を遮断するが、最近風呂釜や給湯器など複雑な制御（比例制御等）を行っている場合がある。このような場合にも図８に示すようなガス消費パターンが発生する。すなわち、風呂釜や給湯器などは給湯温度をこまめに制御した場合、ガスの消費量もこまめに変化しやすくなる。この変化量が個別器具推定手段３のΔＱ以上の場合同一器具であるにもかかわらずＯＮ／ＯＦＦ信号が出力され、同一器具でＴＭＡＸ以上の長時間使用していても時間遮断監視手段Ａ４は、時間遮断信号を出力しないので遮断手段５もガス通路を遮断しなくなる。
【０００７】
そこで、本発明のガス遮断装置は、変化の多いガス消費パターンからガス漏れを判別するとともに、ガス器具の長時間異常使用を判別してガス通路を遮断してガス遮断装置の信頼性と安全性を向上することを目的としている。
【０００８】
【課題を解決するための手段】
本ガス遮断装置においては、変化の多いガス消費パターンからゴムホースなどからもれる流量の不安定なガス漏れと複雑な制御するガス器具の長時間異常使用を、流量測定手段からの流量信号が所定の流量範囲内にあるとき個別器具推定手段からの個別器具のＯＮ／ＯＦＦ信号が一定期間内に何回ＯＮ／ＯＦＦするかを測定し所定以上ある場合は使用パターン異常信号を出力する使用パターン監視手段により、通常のガス器具の消費パターンと区別して判別するようにして、これにより異常なガスの消費パターンの場合は遮断するようにしたものである。
【０００９】
この本発明によれば、ゴムホースなどからもれる流量の不安定なガス漏れや複雑な制御をするガス器具の長時間異常使用を監視してガス通路を遮断し、ガス遮断装置の個別器具推定の信頼性とガス遮断装置の安全性を向上することができる。
【００１０】
【発明の実施の形態】
本発明の請求項１に記載の発明は、通過ガス量に対応した流量を測定して流量信号を出力する流量測定手段と、前記流量測定手段からの流量信号の所定の変化量に応じて個別器具を推定して個別器具のＯＮ／ＯＦＦ信号を出力する個別器具推定手段と、前記個別器具推定手段からの個別器具のＯＮ／ＯＦＦ信号から個別器具の使用時間を監視して所定時間継続した場合時間異常信号を出力する時間遮断監視手段Ａと、前記流量測定手段からの流量信号が所定の流量範囲内にあるとき前記個別器具推定手段からの個別器具のＯＮ／ＯＦＦ信号が一定期間内に何回ＯＮ／ＯＦＦするかを測定して所定以上ある場合は使用パターン異常信号を出力する使用パターン監視手段と、前記時間遮断監視手段Ａからの時間異常信号と使用パターン監視手段からの使用パターン異常信号を受けてガス通路を遮断する遮断手段を備えたものであり、長いゴムホースなどから漏れる流量変化の多いガス漏れを使用パターン監視手段により判別して使用パターン異常信号を出力して、この使用パターン異常信号を受けて遮断手段によりガス通路を遮断するという作用を有する。
【００１１】
請求項２に記載の発明は、前記使用パターン監視手段からの使用パターン異常信号を受けて外部へ報知する報知手段と、前記個別器具推定手段の個別器具を推定する流量信号の所定の変化量を外部より変更する個別器具推定量変更手段と、前記個別器具推定手段を前記流量測定手段からの流量信号の変化量を外部より変更された変化量により個別器具を推定するようにした個別器具推定手段とを備えたものであり、複雑な制御をする個別器具を使用パターン監視手段により判別してこの結果報知手段により外部へ報知し、外部から複雑な制御をする個別器具の変化量に応じて個別器具推定変更手段により個別器具を推定する流量信号の変化量を変更し、次に複雑な制御をする個別器具の使用パターンがあっても個別器具推定手段により同じ器具として判定して、複雑な制御をする個別器具の長時間異常使用を監視し、長時間異常使用の場合に時間遮断監視手段Ａにより時間遮断信号を出力し、この時間遮断信号を受けて遮断手段によりガス通路を遮断するという作用を有する。
【００１２】
請求項３に記載の発明は、前記使用パターン監視手段からの使用異常パターン信号がある場合は前記個別器具推定手段からのそれぞれの個別器具のＯＮ時間を合計して所定時間以上になる場合は時間異常信号を出力するようにした時間遮断監視手段Ｂと、前記遮断手段を前記時間遮断監視手段Ａと前記時間遮断監視手段Ｂから時間異常信号をうけてガス通路を遮断するようにした遮断手段を備えたものであり、複雑な制御をする個別器具を使用パターン監視手段により判別して使用異常パターン信号を時間遮断監視手段Ｂに伝え、時間遮断監視手段Ｂはこの使用異常パターン信号をうけた場合、それまでの個別器具推定手段からのそれぞれの個別器具のＯＮ時間を合計して（複雑な制御をする個別器具とみなして）それ以降時間を監視して所定時間以上になった場合は時間異常信号を出力し、この異常信号を受けて遮断手段によりガス通路を遮断する作用を有する。
【００１３】
以下、本発明の実施例について図１から図６を用いて説明する。
図１は本請求項１に記載の発明のブロック図を示し、１はガスメータ、２は通過ガス流量に対応した流量を測定して流量信号を出力する流量測定手段として流量センサ、３は流量測定手段２から出力される流量信号の変化量（ΔＱ）を監視して所定以上の変化量があった場合に個別器具のＯＮ／ＯＦＦ信号を出力する個別器具推定手段、４は個別器具推定手段３からの個別器具のＯＮ／ＯＦＦ信号から個別器具のＯＮ時間を監視して所定時間（ＴＭＡＸ）継続した場合に時間遮断信号を出力する時間遮断監視手段Ａ、６は前記流量測定手段からの流量信号が所定の流量範囲内（ΔＱ‘：ΔＱ’＞ΔＱ）にあるとき前記個別器具推定手段からの個別器具のＯＮ／ＯＦＦ信号が一定期間内（ＴＣ）に何回ＯＮ／ＯＦＦするかを測定して所定回数（ＮＭＡＸ）以上ある場合は使用パターン異常信号を出力する使用パターン監視手段、７は時間遮断監視手段Ａ４からの時間遮断信号と使用パターン監視手段６の使用パターン異常信号とを受けてガス通路を遮断する遮断手段としての遮断弁である。長いゴムホースなどから漏れる流量変化の多いガス漏れ（ＴＣ時間内にΔＱの変化量がＮＭＡＸ回あるガス漏れ）を使用パターン監視手段６により判別して使用パターン異常信号を出力して、この使用パターン異常信号を受けて遮断手段７によりガス通路を遮断する。
【００１４】
上述した個別器具推定手段３、時間遮断監視手段Ａ４、使用パターン監視手段６の制御については、マイクロコンピュータなどのプログラム動作による演算や判定機能をもちいれば実現できるものである。
【００１５】
図２に上述した制御の遮断するまでのプログラムフローを示す。２０の処理で流量測定手段１からの流量信号を取り込み処理２１に移る。処理２１では、取り込んだ流量信号の変化量がΔＱ以上かどうかにより個別器具を推定する。ΔＱ以上であれば処理２５、ΔＱより小さければ処理２２に移る。処理２２では、個別器具のＯＮ時間を更新して処理２３に移る。処理２３では、ＯＮ時間がＴＭＡＸ時間以上でないかどうかを判定してＴＭＡＸ時間以上であれば（時間遮断信号）処理２４に移り、ＴＭＡＸに達していなければ処理２０に戻る。処理２５，２６ではΔＱ‘の流量内であればＴＣ内のＯＮ／ＯＦＦ回数を＋１して処理２７に移る。処理２７ではこのＯＮ／ＯＦＦ回数がＮＭＡＸ以上であるかどうかを判定して以上であれば（使用パターン異常信号）処理２４に移り、ＮＭＡＸに達していなければ処理２０に戻る。処理２４は処理２３の時間遮断信号、処理２７の使用パターン異常信号により遮断手段４として遮断弁を駆動してガス通路を遮断する。
【００１６】
図３は本請求項２に記載の発明のブロック図を示し、１はガスメータ、２は通過ガス流量に対応した流量を測定して流量信号を出力する流量測定手段として流量センサ、４は個別器具推定手段３３からの個別器具のＯＮ／ＯＦＦ信号から個別器具のＯＮ時間を監視して所定時間（ＴＭＡＸ）継続した場合に時間遮断信号を出力する時間遮断監視手段Ａ、６は前記流量測定手段からの流量信号が所定の流量範囲内（ΔＱ‘：ΔＱ’＞ΔＱ）にあるとき前記個別器具推定手段からの個別器具のＯＮ／ＯＦＦ信号が一定期間内（ＴＣ）に何回ＯＮ／ＯＦＦするかを測定して所定回数（ＮＭＡＸ）以上ある場合は使用パターン異常信号を出力する使用パターン監視手段、３１は使用パターン監視手段６からの使用パターン異常信号を受けて外部へ報知する報知手段としての通信手段、３２は個別器具推定手段３３の個別器具を推定する流量信号の所定の変化量（ΔＱ）を外部より変更する個別器具推定量変更手段としての通信手段、３３は個別器具推定手段３を流量測定手段２からの流量信号の変化量を外部より変更された変化量（ΔＱ‘’：ΔＱ‘’＞ΔＱ）により個別器具を推定するようにした個別器具推定手段、３４は時間遮断監視手段Ａ４からの時間遮断信号を受けてガス通路を遮断する遮断手段としての遮断弁である。
【００１７】
複雑な制御をする個別器具を使用パターン監視手段６により判別して（ＴＣ時間内にΔＱの変化量がＮＭＡＸ回ある複雑な制御をするガス器具）この結果を報知手段３１により外部へ報知し、外部から複雑な制御をする個別器具の変化量に応じて個別器具推定変更手段３２により個別器具を推定する流量信号の変化量（ΔＱ）をΔＱ‘’に変更し、次に複雑な制御をする個別器具の使用パターンがあっても個別器具推定手段３３では変化量がΔＱ‘’より小さいので同じ器具として判定して、複雑な制御をする個別器具のＯＮ時間を時間遮断監視手段４により監視し、長時間異常使用の場合に時間遮断監視手段Ａ４により時間遮断信号を出力し、この時間遮断信号を受けて遮断手段３４によりガス通路を遮断する。
【００１８】
上述した個別器具推定手段３３、時間遮断監視手段Ａ４、使用パターン監視手段６の制御については、マイクロコンピュータなどのプログラム動作による演算や判定機能をもちいれば実現できるものである。
【００１９】
図４に上述した制御の遮断するまでのプログラムフローを示す。２０の処理で流量測定手段１からの流量信号を取り込み処理２１に移る。処理２１では、取り込んだ流量信号の変化量がΔＱ以上かどうか（個別器具推定変更手段により変更した後はΔＱ‘’）により個別器具を推定する。ΔＱ以上であれば処理２５、ΔＱより小さければ処理２２に移る。処理２２では、個別器具のＯＮ時間を更新して処理２３に移る。処理２３では、ＯＮ時間がＴＭＡＸ時間以上でないかどうかを判定してＴＭＡＸ時間以上であれば（時間遮断信号）処理２２に移り、ＴＭＡＸに達していなければ処理２０に戻る。処理２５，２６ではΔＱ‘の流量内であればＴＣ内のＯＮ／ＯＦＦ回数を＋１して処理２７に移る。処理２７ではこのＯＮ／ＯＦＦ回数がＮＭＡＸ以上であるかどうかを判定して以上であれば（使用パターン異常信号）処理４８に移り、ＮＭＡＸに達していなければ処理２０に戻る。処理２４は処理２３の時間遮断信号より遮断手段３４として遮断弁を駆動してガス通路を遮断する。処理４８では報知手段３１としての通信手段により外部に報知して個別器具推定変更手段３２としての通信手段から送られてきたデータによりΔＱをΔＱ’‘に変更する。
【００２０】
図５は本請求項３に記載の発明のブロック図を示し、１はガスメータ、２は通過ガス流量に対応した流量を測定して流量信号を出力する流量測定手段として流量センサ、３は流量測定手段２から出力される流量信号の変化量（ΔＱ）を監視して所定以上の変化量があった場合に個別器具のＯＮ／ＯＦＦ信号を出力する個別器具推定手段、４は個別器具推定手段３からの個別器具のＯＮ／ＯＦＦ信号から個別器具のＯＮ時間を監視して所定時間（ＴＭＡＸ）継続した場合に時間遮断信号を出力する時間遮断監視手段Ａ、６は前記流量測定手段からの流量信号が所定の流量範囲内（ΔＱ‘：ΔＱ’＞ΔＱ）にあるとき前記個別器具推定手段からの個別器具のＯＮ／ＯＦＦ信号が一定期間内（ＴＣ）に何回ＯＮ／ＯＦＦするかを測定して所定回数（ＮＭＡＸ）以上ある場合は使用パターン異常信号を出力する使用パターン監視手段、５０は使用パターン監視手段４からの使用異常パターン信号がある場合は個別器具推定手段３からのそれぞれの個別器具のＯＮ時間を合計して（Ｔ１＋Ｔ２＋Ｔ３＋・・・）所定時間以上（ＴＭＡＸ）になる場合は時間異常信号を出力するようにした時間遮断監視手段Ｂ、５１は時間遮断監視手段Ａ４と前記時間遮断監視手段Ｂ５０から時間異常信号をうけてガス通路を遮断する遮断手段としての遮断弁である。
【００２１】
複雑な制御をする個別器具を使用パターン監視手段により判別して（ＴＣ時間内にΔＱの変化量がＮＭＡＸ回ある複雑な制御をするガス器具）使用異常パターン信号を時間遮断監視手段Ｂ５０に伝え、時間遮断監視手段Ｂ５０はこの使用異常パターン信号をうけた場合、それまでの個別器具推定手段３からのそれぞれの個別器具のＯＮ時間を合計して（複雑な制御をする個別器具とみなして）それ以降合計時間を監視して所定時間以上になった場合は時間異常信号を出力し、この異常信号を受けて遮断手段５１によりガス通路を遮断する。
【００２２】
上述した個別器具推定手段３、時間遮断監視手段Ａ４、使用パターン監視手段６、時間遮断監視手段Ｂ５０の制御については、マイクロコンピュータなどのプログラム動作による演算や判定機能をもちいれば実現できるものである。
【００２３】
図２に上述した制御の遮断するまでのプログラムフローを示す。２０の処理で流量測定手段１からの流量信号を取り込み処理２１に移る。処理２１では、取り込んだ流量信号の変化量がΔＱ以上かどうかにより個別器具を推定する。ΔＱ以上であれば処理２５、ΔＱより小さければ処理２２に移る。処理２２では、個別器具のＯＮ時間を更新して処理２３に移る。処理２３では、ＯＮ時間がＴＭＡＸ時間以上でないかどうかを判定してＴＭＡＸ時間以上であれば（時間遮断信号）処理２４に移り、ＴＭＡＸに達していなければ処理２０に戻る。処理２５，２６ではΔＱ‘の流量内であればＴＣ内のＯＮ／ＯＦＦ回数を＋１して処理２７に移る。
【００２４】
処理２７ではこのＯＮ／ＯＦＦ回数がＮＭＡＸ以上であるかどうかを判定して以上であれば（使用パターン異常信号）処理６８に移り、ＮＭＡＸに達していなければ処理２０に戻る。処理６８ではそれまでの個別器具推定手段３からのそれぞれの個別器具のＯＮ時間を合計して（複雑な制御をする個別器具とみなして）合計時間（Ｔ１＋Ｔ２＋Ｔ３＋・・・）がＴＭＡＸ異常であれば（時間遮断信号）処理２４に移り、ＴＭＡＸに達していなければ処理２０に戻る。処理２４は処理２３と処理６８の時間遮断信号により遮断手段５１としての遮断弁を駆動してガス通路を遮断する。
【００２５】
【発明の効果】
この本発明によれば、ゴムホースなどからもれる流量の不安定なガス漏れや複雑な制御をするガス器具の長時間異常使用を監視してガス通路を遮断し、ガス遮断装置の個別器具推定の信頼性とガス遮断装置の安全性を向上することができる。
【図面の簡単な説明】
【図１】請求項１記載に係る実施例におけるガス遮断装置の機能ブロック図
【図２】同装置のプログラムフローチャート
【図３】請求項２記載に係る実施例におけるガス遮断装置の機能ブロック図
【図４】同装置のプログラムフローチャート
【図５】請求項３記載に係る実施例におけるガス遮断装置の機能ブロック図
【図６】同装置のプログラムフローチャート
【図７】従来のガス遮断装置の機能ブロック図
【図８】器具のＯＮ／ＯＦＦによるガス消費例のパターン図
【符号の説明】
１  ガスメータ
２  流量測定手段
３  個別器具推定手段
４  時間遮断監視手段Ａ
５  遮断手段
６  使用パターン監視手段
【図１】
0003743050.tif 000002
【図２】
0003743050.tif 000003
【図３】
0003743050.tif 000004
【図４】
0003743050.tif 000005
【図５】
0003743050.tif 000006
【図６】
0003743050.tif 000007
【図７】
0003743050.tif 000008
【図８】
0003743050.tif 000009